(57)【要約】【課題】自動車などを運転する上で、視界を妨げる前方等の車両や場所等により、死角がある場合は、事故などに繋がりやすい。【解決手段】車載するＷＩＦＩ通信機能を搭載したドライブレコーダーに、外付けアンテナを接続して、ＷＩＦＩ通信範囲で目的に応じた、共有が可能で必要とする対象者の、マートフォンなどの多機能携帯端末やタブレット端末へ、情報共有できるアプリケーションにより情報提供する。また、ある特定の場所に設置するＷＩＦＩ通信機能を搭載したドライブレコーダーと、センサーによる動体検知装置を接続し、ドライブレコーダーの動作制御を行い、起動させたい位置で、確認したい場所の画像等の情報を、共有が可能で必要とする対象者の、スマートフォンなどの多機能携帯端末やタブレット端末へ情報提供できる構成からなる。【選択図】図３
2018206325.tif 000002
【特許請求の範囲】
【請求項１】
ＷＩＦＩ通信機能を搭載したドライブレコーダーに、ＷＩＦＩ用の外付けアンテナを１本以上を接続した視界改善ドライブレコーダー。
【請求項２】
請求項１の外付けアンテナに、指向性アンテナを用いた視界改善ドライブレコーダー。
【請求項３】
１台以上のセンサーによる動体検知装置と、ＷＩＦＩ通信機能を搭載したドライブレコーダーで、ドライブレコーダーの動作制御をする請求項１および請求項２に記載した視界改善ドライブレコーダー。
【請求項４】
１台以上のセンサーによる動体検知装置と分離したＷＩＦＩ通信機能を搭載したドライブレコーダーの間を、有線または無線通信で接続して、ドライブレコーダーの動作制御をする請求項１および請求項２に記載した視界改善ドライブレコーダー。
【発明の詳細な説明】
【技術分野】
【０００１】  ＷＩＦＩ通信機能を搭載したドライブレコーダーより、現在の画像等の情報をＷＩＦＩ通信接続で、共有対象者のスマートフォンなどの多機能携帯端末やタブレット端末に情報提供する事に関するものである。
【背景技術】
【０００２】  従来のドライブレコーダーは、基本的に車窓から外の状況を録画することが主要目的の装置であり、この装置の搭載車や搭載者を対象したものである。
【発明の概要】
【発明が解決しようとする課題】
【０００３】  自動車等の運転をする上で、前方等の車両や見通しの悪い場所等では、死角が生じて視界が妨げられることで、安全運転をする為の確認が困難になるために、事故等に繋がる可能性が高くなる。
【課題を解決するための手段】
【０００４】  本発明は、ドライブレコーダー搭載車から得られる、現在の画像等の情報を、搭載車以外にも対象とした情報とし、共有が可能で必要とする対象者の、スマートフォンなどの多機能携帯端末やタブレット端末へＷＩＦＩ通信接続で、ＷＩＦＩ通信機能を搭載したドライブレコーダーの、現在の画像等の情報を、後続車や隣接車が得ることができるものである。【０００５】  また、ドライブレコーダーをある特定の場所に設置して利用する場合は、センサーによる動体検知装置を、ドライブレコーダーの動作制御に利用し、ドライブレコーダーの起動が必要な位置で、必要とされる場所周辺の画像等の情報を、共有が可能で必要とする対象者の、スマートフォンなどの多機能携帯端末やタブレット端末へ情報を提供するものである。【０００６】  このＷＩＦＩ通信用の外付けアンテナは、目的に応じた通信範囲を設定するために、基本的には、目的に適した指向性アンテナ等を用いる。
【発明の効果】
【０００７】  車載する場合は、ＷＩＦＩ通信機能を搭載したドライブレコーダーが、外付けアンテナを有することで、目的に応じた必要とされる通信範囲の位置を設定して、ドライブレコーダー搭載車だけが利用するのでは無く、後続車や隣接車が共有できるアプリケーションをインストールすることにより、スマートフォンなどの多機能携帯端末やタブレット端末で、ドライブレコーダー搭載車から、現在の前方視界を情報として得ることができる。したがって、後続車や隣接車が目視できない視界を補うことができることで、視界が改善して安全走行の向上になる。【０００８】  ある特定の場所に設置した場合は、ＷＩＦＩ通信機能を搭載したドライブレコーダーとセンサーによる動体検知装置を組合せることで、事前に情報を得たい位置でドライブレコーダーを動作制御し、確認したい場所周辺の情報を、共有できるアプリケーションをインストールしたスマートフォンなどの多機能携帯端末やタブレット端末で、ドライブレコーダーからの現在の画像等を情報として得られることで、視界が改善し安全走行の向上になる。【０００９】  目的に応じた指向性アンテナを用いることで、情報の提供が必要な対象者に限定することが可能となる。【００１０】  当然、ドライブレコーダーの機能として記録された情報は、ドライブレコーダーの管理者が利用目的に応じて確認や保存等の情報利用ができる。【００１１】  ドライブレコーダーをある特定の場所に設置して運用する場合は、センサーによる動体検知装置でドライブレコーダーを動作制御をすることで、この装置の消費電力を控えることができ、通常の電源供給の他に太陽電池電源等などの運用も可能となる。【００１２】画像等の情報を、アプリケーション内で画像認証することで警告表示や警告音の対応が可能である。また、ＷＩＦＩ通信やＢｌｕｅｔｏｏｔｈ通信機能を利用することで、自動車等の制御装置との連動も可能となる。
【発明を実施するための形態】
【００１３】  図１は、ＷＩＦＩ通信を搭載したドライブレコーダー１が、外付けアンテナ５と接続した装置で、この装置のカメラ６から得た現在の情報を、このＷＩＦＩ通信により、スマートフォンなどの多機能携帯端末やタブレット端末に、画像等の情報とし提供でき、この装置を動作させる電源９からなる構成図である。
【００１４】  図２は、センサー７による動体検知装置と、ＷＩＦＩ通信装置を搭載したドライブレコーダー２を、対象車がドライブレコーダーの起動を必要とする位置に来た時に、センサー７により、ドライブレコーダーを動作制御し、この装置のカメラ６から得た現在の情報を、ＷＩＦＩ通信によりスマートフォンなどの多機能携帯端末やタブレット端末に、画像等の情報として提供でき、この装置を動作させる電源９からなる構成図である。
【００１５】  図３は、センサーによる動体検知装置３と分離したドライブレコーダー１とを配線８で接続して、ドライブレコーダーを動作制御する。対象車が、画像等の情報を必要とする場所に、ドライブレコーダー１を設置する。センサー７による動体検知装置３は、起動の反応が必要とされる位置に配置して、ＷＩＦＩ通信によるスマートフォンなどの多機能携帯端末やタブレット端末に、画像等の情報を提供でき、これらの装置を動作させる電源９からなる構成図である。
【００１６】  図４は、センサー７による動体検知装置４と分離したドライブレコーダー１の相互間を、ＷＩＦＩ通信やその他の無線通信で、ドライブレコーダーの動作制御する。このドライブレコーダー１は、対象車が画像等の情報を必要とする場所に設置する。センサー７による動体検知装置４は、起動の反応が必要とされる位置に配置して、ＷＩＦＩ通信によりスマートフォンなどの多機能携帯端末やタブレット端末に、画像等の情報を提供でき、これらの装置を動作させる電源９からなる構成図である。
【００１７】  ＷＩＦＩ通信に用いるアンテナは、目的に応じた範囲に対応する為に、目的に適した指向性外付けアンテナとし、必要に応じた本数を設置する外付けアンテナ５を接続する。
【００１８】  センサー７による動体検知装置の起動の反応が必要とされる位置が、複数ある場合は、センサー７による動体検知装置を、複数の位置に設置することで対応する。
【００１９】  ドライブレコーダーの設置する環境によっては、保護用ケースに収納して運用する。
【００２０】  ＷＩＦＩ通信機能を搭載したドライブレコーダーの情報を共有するために、ＷＩＦＩ通信で共有して運用ができるアプリケーションを、スマートフォンなどの多機能携帯端末やタブレット端末にインストールをする。
【００２１】  これにより、ＷＩＦＩ通信範囲内でアプリケーションが、起動状態であれば自動的にドライブレコーダーの画像等を利用目的に応じた必要範囲の情報を提供する。
【産業上の利用可能性】
【００２２】  視界を改善するためのドライブレコーダーとして、多用途に利用でき、障害物認証等のアプリケーションで、障害物警告や駆動制御の用途にも応用できる。
【図面の簡単な説明】
【００２３】１  ドライブレコーダー
２  ドライブレコーダー
３  動体検知装置
４  動体検知装置
５  アンテナ
６  カメラ
７  センサー
８  配線
９  電源
【図１】
2018206325.tif 000003
【図２】
2018206325.tif 000004
【図３】
2018206325.tif 000005
【図４】
2018206325.tif 000006
【手続補正書】
【提出日】平成29年8月2日(2017.8.2)
【手続補正１】
【補正対象書類名】明細書
【補正対象項目名】全文
【補正方法】変更
【補正の内容】
【発明の詳細な説明】
【技術分野】
【０００１】  ＷＩＦＩ通信機能を搭載したドライブレコーダーより、現在の画像等の情報をＷＩＦＩ通信接続で、共有対象者のスマートフォンなどの多機能携帯端末やタブレット端末に情報提供する事に関するものである。
【背景技術】
【０００２】  従来のドライブレコーダーは、基本的に車窓から外の状況を録画することが主要目的の装置であり、この装置の搭載車や搭載者を対象したものである。
【発明の概要】
【発明が解決しようとする課題】
【０００３】  自動車等の運転をする上で、前方等の車両や見通しの悪い場所等では、死角が生じて視界が妨げられることで、安全運転をする為の確認が困難になるために、事故等に繋がる可能性が高くなる。
【課題を解決するための手段】
【０００４】  本発明は、ドライブレコーダー搭載車から得られる、現在の画像等の情報を、搭載車以外にも対象とした情報とし、共有が可能で必要とする対象者の、スマートフォンなどの多機能携帯端末やタブレット端末へＷＩＦＩ通信接続で、ＷＩＦＩ通信機能を搭載したドライブレコーダーの、現在の画像等の情報を、後続車や隣接車が得ることができるものである。【０００５】  また、ドライブレコーダーをある特定の場所に設置して利用する場合は、センサーによる動体検知装置を、ドライブレコーダーの動作制御に利用し、ドライブレコーダーの起動が必要な位置で、必要とされる場所周辺の画像等の情報を、共有が可能で必要とする対象者の、スマートフォンなどの多機能携帯端末やタブレット端末へ情報を提供するものである。【０００６】  このＷＩＦＩ通信用の外付けアンテナは、目的に応じた通信範囲を設定するために、基本的には、目的に適した指向性アンテナ等を用いる。
【発明の効果】
【０００７】  車載する場合は、ＷＩＦＩ通信機能を搭載したドライブレコーダーが、外付けアンテナを有することで、目的に応じた必要とされる通信範囲の位置を設定して、ドライブレコーダー搭載車だけが利用するのでは無く、後続車や隣接車が共有できるアプリケーションをインストールすることにより、スマートフォンなどの多機能携帯端末やタブレット端末で、ドライブレコーダー搭載車から、現在の前方視界を情報として得ることができる。したがって、後続車や隣接車が目視できない視界を補うことができることで、視界が改善して安全走行の向上になる。【０００８】  ある特定の場所に設置した場合は、ＷＩＦＩ通信機能を搭載したドライブレコーダーとセンサーによる動体検知装置を組合せることで、事前に情報を得たい位置でドライブレコーダーを動作制御し、確認したい場所周辺の情報を、共有できるアプリケーションをインストールしたスマートフォンなどの多機能携帯端末やタブレット端末で、ドライブレコーダーからの現在の画像等を情報として得られることで、視界が改善し安全走行の向上になる。【０００９】  目的に応じた指向性アンテナを用いることで、情報の提供が必要な対象者に限定することが可能となる。【００１０】  当然、ドライブレコーダーの機能として記録された情報は、ドライブレコーダーの管理者が利用目的に応じて確認や保存等の情報利用ができる。【００１１】  ドライブレコーダーをある特定の場所に設置して運用する場合は、センサーによる動体検知装置でドライブレコーダーを動作制御をすることで、この装置の消費電力を控えることができ、通常の電源供給の他に太陽電池電源等などの運用も可能となる。【００１２】画像等の情報を、アプリケーション内で画像認証することで警告表示や警告音の対応が可能である。また、ＷＩＦＩ通信やＢｌｕｅｔｏｏｔｈ通信機能を利用することで、自動車等の制御装置との連動も可能となる。
【発明を実施するための形態】
【００１３】  図１は、ＷＩＦＩ通信を搭載したドライブレコーダー１が、外付けアンテナ５と接続した装置で、この装置のカメラ６から得た現在の情報を、このＷＩＦＩ通信により、スマートフォンなどの多機能携帯端末やタブレット端末に、画像等の情報とし提供でき、この装置を動作させる電源９からなる構成図である。
【００１４】  図２は、センサー７による動体検知装置と、ＷＩＦＩ通信装置を搭載したドライブレコーダー２を、対象車がドライブレコーダーの起動を必要とする位置に来た時に、センサー７により、ドライブレコーダーを動作制御し、この装置のカメラ６から得た現在の情報を、ＷＩＦＩ通信によりスマートフォンなどの多機能携帯端末やタブレット端末に、画像等の情報として提供でき、この装置を動作させる電源９からなる構成図である。
【００１５】  図３は、センサーによる動体検知装置３と分離したドライブレコーダー１とを配線８で接続して、ドライブレコーダーを動作制御する。対象車が、画像等の情報を必要とする場所に、ドライブレコーダー１を設置する。センサー７による動体検知装置３は、起動の反応が必要とされる位置に配置して、ＷＩＦＩ通信によるスマートフォンなどの多機能携帯端末やタブレット端末に、画像等の情報を提供でき、これらの装置を動作させる電源９からなる構成図である。
【００１６】  図４は、センサー７による動体検知装置４と分離したドライブレコーダー１の相互間を、ＷＩＦＩ通信やその他の無線通信で、ドライブレコーダーの動作制御する。このドライブレコーダー１は、対象車が画像等の情報を必要とする場所に設置する。センサー７による動体検知装置４は、起動の反応が必要とされる位置に配置して、ＷＩＦＩ通信によりスマートフォンなどの多機能携帯端末やタブレット端末に、画像等の情報を提供でき、これらの装置を動作させる電源９からなる構成図である。
【００１７】  ＷＩＦＩ通信に用いるアンテナは、目的に応じた範囲に対応する為に、目的に適した指向性外付けアンテナとし、必要に応じた本数を設置する外付けアンテナ５を接続する。
【００１８】  センサー７による動体検知装置の起動の反応が必要とされる位置が、複数ある場合は、センサー７による動体検知装置を、複数の位置に設置することで対応する。
【００１９】  ドライブレコーダーの設置する環境によっては、保護用ケースに収納して運用する。
【００２０】  ＷＩＦＩ通信機能を搭載したドライブレコーダーの情報を共有するために、ＷＩＦＩ通信で共有して運用ができるアプリケーションを、スマートフォンなどの多機能携帯端末やタブレット端末にインストールをする。
【００２１】  これにより、ＷＩＦＩ通信範囲内でアプリケーションが、起動状態であれば自動的にドライブレコーダーの画像等を利用目的に応じた必要範囲の情報を提供する。
【産業上の利用可能性】
【００２２】  視界を改善するためのドライブレコーダーとして、多用途に利用でき、障害物認証等のアプリケーションで、障害物警告や駆動制御の用途にも応用できる。
【図面の簡単な説明】
【００２３】
【図１】は、ＷＩＦＩ通信を搭載したドライブレコーダーから構成したブロック図である。
【図２】は、動体検知装置とＷＩＦＩ通信を搭載したドライブレコーダーから構成したブロック図である。
【図３】は、ＷＩＦＩ通信を搭載したドライブレコーダーと分離した動体検知装置が配線で接続した構成によるブロック図である。
【図４】は、ＷＩＦＩ通信を搭載したドライブレコーダーと分離したＷＩＦＩ通信を搭載した動体検知装置から構成したブロック図である。
【符号の説明】
【００２４】  １  ドライブレコーダー
２  ドライブレコーダー
３  動体検知装置
４  動体検知装置
５  アンテナ
６  カメラ
７  センサー
８  配線
９  電源